(57)【要約】【課題】輸出入に係わる貨物の運送、物流倉庫、荷役作業等の作業形態に合わせて、作業ごとに料金計上を行い、入力及び各種書類の作成状況を確認しながら請求書を自動作成することのできる請求書自動作成装置、請求書自動作成方法、および、請求書自動作成プログラムを提供することを課題とする。【解決手段】制御部１０２と記憶部１０６とを備え、制御部１０２は、輸出入に係わる作業の受注データを受注番号単位で取得する受注データ取得部１０２ａと、作業形態に応じた作業の進捗状況を受注番号単位で更新する進捗状況更新部１０２ｂと、進捗状況に基づいて、請求書データを受注番号単位で作成する請求書作成部１０２ｄとを備え、記憶部１０６は、輸出入に係わる作業の受注データと、作業形態に応じた前記作業の進捗状況とを格納する。【選択図】図１
2020194603.tif 000002
【特許請求の範囲】
【請求項１】
制御部と記憶部とを備えた請求書自動作成装置において、
前記制御部は、
輸出入に係わる作業の受注データを受注番号単位で取得する受注データ取得手段と、
前記作業において必要なデータ入力および帳票出力の進捗状況を前記受注番号単位で更新する進捗状況更新手段と、
前記進捗状況に基づいて、請求書データを前記受注番号単位で作成する請求書作成手段と、
を備え、
前記記憶部は、
前記輸出入に係わる作業の受注データと、
前記作業において必要なデータ入力および帳票出力の進捗状況と、
を格納すること、
を特徴とする請求書自動作成装置。
【発明の詳細な説明】
【技術分野】
【０００１】
本発明は、請求書自動作成装置、請求書自動作成方法、および、請求書自動作成プログラムに関する。
【背景技術】
【０００２】
特許文献１には、情報管理装置が、複数の物流センタにおける出庫対象商品に係る物流業務の作業形態を設定する作業形態設定手段と、作業形態設定手段により設定される当該作業形態に基づき、それぞれの物流センタに対して支払う物流業務費用を算出する費用算出手段とを具備する情報管理装置が開示されている。
【先行技術文献】
【特許文献】
【０００３】
【特許文献１】特開２００３−２０３１０９号公報
【発明の概要】
【発明が解決しようとする課題】
【０００４】
この特許文献１は、作業形態設定手段により複数の物流センタにおける出庫対象商品に係る物流業務の作業形態を設定し、その作業形態設定手段により設定された当該作業形態に基づいて、費用算出手段によりそれぞれの物流センタに対して支払う物流業務費用を算出するため、一つの物流業務が完了する度にその分の費用を自動的に算出することができ、業者による手入力の手間及びそれに伴う人為的なミスを回避することができる。しかしながら、港湾業界などでは、輸出入に係わる貨物の運送・物流倉庫、荷役作業など多岐に渡る一連の作業及び書類の作成を受注毎に管理する必要があり、また請求書については、受注毎に輸出であれば出港日、輸入であれば通関許可日、あるいは配送日都度で作成するという業界特有の事情があった。このことから、受注番号毎に請求処理を行うシステムと、実作業である入出庫・通関・配送を管理するシステムとは別々に構築されており、請求書を作成する際に作業完了を確認しなくてはならないため、請求書を自動作成することは困難であった。
【０００５】
本発明は、上記問題点に鑑みてなされたものであって、輸出入に係わる貨物の運送、物流倉庫、荷役作業等の作業形態に合わせて、作業ごとに料金計上を行い、入力及び各種書類の作成状況を確認しながら請求書を自動作成することができる請求書自動作成装置、請求書自動作成方法、および、請求書自動作成プログラムを提供することを目的とする。
【課題を解決するための手段】
【０００６】
上述した課題を解決し、目的を達成するために、本発明に係る請求書自動作成装置は、制御部と記憶部とを備えた請求書自動作成装置において、前記制御部は、輸出入に係わる作業の受注データを受注番号単位で取得する受注データ取得手段と、作業形態に応じた前記作業の進捗状況を前記受注番号単位で更新する進捗状況更新手段と、前記進捗状況に基づいて、請求書データを前記受注番号単位で作成する請求書作成手段と、を備え、前記記憶部は、前記輸出入に係わる作業の受注データと、前記作業形態に応じた前記作業の進捗状況と、を格納すること、を特徴とする。
【０００７】
また、本発明に係る請求書自動作成装置は、前記請求書作成手段は、前記進捗状況に基づいて、前記作業の作業内容から算出される料金情報を用いて、前記請求書データを前記受注番号単位で作成することを特徴とする。
【０００８】
また、本発明に係る請求書自動作成装置は、前記請求書作成手段は、前記進捗状況に基づいて、在庫状況から算出される前記料金情報を用いて、前記請求書データを前記受注番号単位で作成することを特徴とする。
【０００９】
また、本発明に係る請求書自動作成装置は、前記制御部は、在庫状況を含む前記進捗状況、および／または、前記作業形態に応じた前記作業の料金情報を表示させる進捗状況表示手段、を更に備えたことを特徴とする。
【００１０】
また、本発明に係る請求書自動作成装置は、前記受注データ取得手段は、受注入力画面において受注入力された場合、前記輸出入に係わる作業の前記受注データを前記受注番号単位で取得することを特徴とする。
【００１１】
また、本発明に係る請求書自動作成装置は、前記受注データ取得手段は、受注入力画面においてＳ／Ｉ入力、Ｉ／Ｉ入力、または、受付台帳入力された場合、前記輸出入に係わる作業の前記受注データを前記受注番号単位で取得することを特徴とする。
【００１２】
また、本発明に係る請求書自動作成装置は、前記進捗状況更新手段は、作業入力画面において作業入力された場合、前記作業形態に応じた前記作業の前記進捗状況を前記受注番号単位で更新することを特徴とする。
【００１３】
また、本発明に係る請求書自動作成装置は、前記進捗状況更新手段は、作業入力画面において入庫入力、出庫入力、庫内作業入力、通関入力、または、配送入力がされた場合、前記作業形態に応じた前記作業の前記進捗状況を前記受注番号単位で更新することを特徴とする。
【００１４】
また、本発明に係る請求書自動作成方法は、制御部と記憶部とを備えた請求書自動作成装置に実行させるための請求書自動作成方法であって、前記制御部で実行される、輸出入に係わる作業の受注データを受注番号単位で取得する受注データ取得ステップと、前記作業形態に応じた前記作業の進捗状況を前記受注番号単位で更新する進捗状況更新ステップと、前記進捗状況に基づいて、請求書データを前記受注番号単位で作成する請求書作成ステップと、を含み、前記記憶部は、前記輸出入に係わる作業の受注データと、前記作業形態に応じた前記作業の進捗状況と、を格納すること、を特徴とする。
【００１５】
また、本発明に係る請求書自動作成プログラムは、制御部と記憶部とを備えた請求書自動作成装置に実行させるための請求書自動作成プログラムであって、前記制御部において実行させるための、輸出入に係わる作業の受注データを受注番号単位で取得する受注データ取得ステップと、前記作業形態に応じた前記作業の進捗状況を前記受注番号単位で更新する進捗状況更新ステップと、前記進捗状況に基づいて、請求書データを前記受注番号単位で作成する請求書作成ステップと、を含み、前記記憶部は、前記輸出入に係わる作業の受注データと、前記作業形態に応じた前記作業の進捗状況と、を格納すること、を特徴とする。
【発明の効果】
【００１６】
本発明によれば、輸出入に係わる貨物の運送、物流倉庫、荷役作業等の作業形態に合わせて、作業ごとに料金計上を行い、入力及び各種書類の作成状況を確認しながら請求書を自動作成することができるという効果を奏する。
【図面の簡単な説明】
【００１７】
【図１】図１は、請求書自動作成装置の構成の一例を示すブロック図である。
【図２】図２は、請求書自動作成装置における処理の一例を示すフローチャートである。
【図３】図３は、請求書自動作成装置におけるデータ相関図の一例を示す図である。
【図４】図４は、図３の進捗状況照会画面と受注入力画面と各作業入力画面の一例を示す図である。
【図５】図５は、受注番号ごとに作業の進捗状況を確認して帳票を作成すると共に進捗状況に応じて画面の色を変える処理の一例を示す図である。
【図６】図６は、進捗状況のファイルと各入力の料金情報に基づく請求書作成処理の一例を示す図である。
【図７】図７は、各作業入力の料金情報に基づく請求金額の算出処理の一例を示す図である。
【発明を実施するための形態】
【００１８】
本発明の実施形態を図面に基づいて詳細に説明する。なお、本発明は本実施形態により限定されるものではない。
【００１９】
［１．構成］
本実施形態に係る請求書自動作成装置の構成の一例について、図１を参照して説明する。図１は、請求書自動作成装置１００の構成の一例を示すブロック図である。
【００２０】
請求書自動作成装置１００は、市販のデスクトップ型パーソナルコンピュータである。なお、請求書自動作成装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
請求書自動作成装置１００は、制御部１０２と通信インターフェース部１０４と記憶部１０６と入出力インターフェース部１０８と、を備えている。請求書自動作成装置１００が備えている各部は、任意の通信路を介して通信可能に接続されている。
【００２２】
通信インターフェース部１０４は、ルータ等の通信装置及び専用線等の有線又は無線の通信回線を介して、請求書自動作成装置１００をネットワーク３００に通信可能に接続する。通信インターフェース部１０４は、他の装置と通信回線を介してデータを通信する機能を有する。ここで、ネットワーク３００は、請求書自動作成装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２３】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。記憶部１０６は、進捗状況ファイル１０６ａを備えている。
【００２４】
進捗状況ファイル１０６ａは、輸出入に係わる作業形態に応じた作業の進捗状況を受注番号単位で記憶するファイルである。ここで、作業形態とは、荷役作業（入庫、または、出庫）、庫内作業、通関、または、運送（配送）であってもよい。
【００２５】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２６】
制御部１０２は、請求書自動作成装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、受注データ取得部１０２ａと進捗状況更新部１０２ｂと進捗状況表示部１０２ｃと請求書作成部１０２ｄとを備えている。
【００２７】
受注データ取得部１０２ａは、受注データを取得する。ここで、受注データ取得部１０２ａは、輸出入に係わる作業の受注データを受注番号単位で取得してもよい。また、受注データ取得部１０２ａは、（ユーザにより入力装置１１２を介して）受注入力画面において受注入力された場合、輸出入に係わる作業の受注データを受注番号単位で取得してもよい。また、受注データ取得部１０２ａは、（ユーザにより入力装置１１２を介して）受注入力画面においてＳ／Ｉ（船積指示書）入力、Ｉ／Ｉ（輸入通関指示書）入力、または、受付台帳入力された場合、輸出入に係わる作業の受注データを受注番号単位で取得してもよい。また、受注データ取得部１０２ａは、更に、受注データを進捗状況ファイル１０６ａに受注番号単位で格納してもよい。
【００２８】
進捗状況更新部１０２ｂは、作業の進捗状況を更新する。ここで、進捗状況更新部１０２ｂは、作業形態に応じた作業の進捗状況を受注番号単位で更新してもよい。また、進捗状況更新部１０２ｂは、（ユーザにより入力装置１１２を介して）作業入力画面において作業入力された場合、作業形態に応じた作業の進捗状況を受注番号単位で更新してもよい。また、進捗状況更新部１０２ｂは、（ユーザにより入力装置１１２を介して）作業入力画面において入庫入力、出庫入力、庫内作業入力、通関入力、または、配送入力がされた場合、作業形態に応じた作業の進捗状況を受注番号単位で更新してもよい。なお、進捗状況更新部１０２ｂは、進捗状況ファイル１０６ａに記憶された進捗状況を更新してもよい。
【００２９】
進捗状況表示部１０２ｃは、進捗状況を（出力装置１１４に）表示させる。ここで、進捗状況表示部１０２ｃは、在庫状況を含む進捗状況、および／または、作業形態に応じた作業の料金情報を（出力装置１１４に）表示させてもよい。
【００３０】
請求書作成部１０２ｄは、請求書データを作成する。ここで、請求書作成部１０２ｄは、進捗状況に基づいて、請求書データを受注番号単位で作成してもよい。また、請求書作成部１０２ｄは、進捗状況に基づいて、作業の作業内容から算出される料金情報を用いて、請求書データを受注番号単位で作成してもよい。また、請求書作成部１０２ｄは、進捗状況に基づいて、在庫状況から算出される料金情報を用いて、請求書データを受注番号単位で作成してもよい。
【００３１】
［２．具体例］
本実施形態の具体例について、図２から図７を参照して説明する。図２は、請求書自動作成装置１００における処理の一例を示すフローチャートである。
【００３２】
図２に示すように、受注データ取得部１０２ａは、ユーザにより入力装置１１２を介して受注入力画面においてＳ／Ｉ入力、Ｉ／Ｉ入力、または、受付台帳入力の受注入力がされた場合、輸出入に係わる作業の受注データを受注番号単位で取得し、当該受注データを進捗状況ファイル１０６ａに受注番号単位で格納する（ステップＳＡ−１）。
【００３３】
そして、進捗状況更新部１０２ｂは、ユーザにより入力装置１１２を介して作業入力画面において入庫入力、出庫入力、庫内作業入力、通関入力、または、配送入力がされた場合、在庫状況から料金情報を算出し、進捗状況ファイル１０６ａに記憶された作業の進捗状況を受注番号単位で更新する（ステップＳＡ−２）。
【００３４】
そして、進捗状況表示部１０２ｃは、進捗状況ファイル１０６ａに記憶された、在庫状況を含む進捗状況、および／または、作業形態に応じた作業の料金情報を出力装置１１４に表示させ（ステップＳＡ−３）、ユーザに入力装置１１２を介して請求書データを作成するか否か選択させる（ステップＳＡ−４）。
【００３５】
そして、進捗状況表示部１０２ｃは、ユーザにより請求書データを作成しないと選択された場合（ステップＳＡ−４：Ｎｏ）、処理をステップＳＡ−２に移行させる。
【００３６】
一方、請求書作成部１０２ｄは、ユーザにより請求書データを作成すると選択された場合（ステップＳＡ−４：Ｙｅｓ）、進捗状況に基づいて、在庫状況から算出される料金情報を用いて、請求書データを受注番号単位で作成し（ステップＳＡ−５）、処理を終了する。なお、進捗状況表示部１０２ｃは、更に、ユーザに入力装置１１２を介して請求書データを確定するか否か選択させてもよい。
【００３７】
本実施形態に係る請求書自動作成装置１００は、輸出入それぞれの作業形態に合わせて、受注から作業ごとに料金計上を行い、その入力及び書類作成状況を確認しながら請求書の作成を行う機能を備えていることを特徴としている。
【００３８】
例えば、港湾業界では輸出入に係わる貨物の運送・物流倉庫、荷役作業など多岐に渡る一連の作業及び書類の作成は、受注番号ごとに管理する必要がある。また、請求書は、受注番号ごとに、例えば輸出であれば出港日、輸入であれば通関許可日、あるいは配送日都度作成する必要がある。
【００３９】
ここで、図３から図７を参照して、請求書自動作成処理の具体例について説明する。図３は、請求書自動作成装置１００におけるデータ相関図の一例を示す図である。図４は、図３の進捗状況照会画面と受注入力画面と各作業入力画面の一例を示す図である。図５は、受注番号ごとに作業の進捗状況を確認して帳票を作成すると共に進捗状況に応じて画面の色を変える処理の一例を示す図である。図６は、進捗状況のファイルと各入力の料金情報に基づく請求書作成処理の一例を示す図である。図７は、各作業入力の料金情報に基づく請求金額の算出処理の一例を示す図である。
【００４０】
図３に示すように、請求書自動作成装置１００は、ユーザにより受注入力（Ｓ／Ｉ入力、Ｉ／Ｉ入力、または、受付台帳入力）がされた場合、受注番号（受注Ｎｏ．）単位に料金を保持し、ヘッダ単位に受注Ｎｏ．を保持し、明細単位に料金（単価）情報を保持し、作業の進捗状況を受注Ｎｏ．単位に進捗状況ファイル１０６ａに集計している。また、請求書自動作成装置１００は、入庫Ｎｏ．単位に受注Ｎｏ．を保持し、作業Ｎｏ．単位または在庫明細単位に受注Ｎｏ．を保持し、通関Ｎｏ．単位または在庫明細単位に受注Ｎｏ．を保持し、出庫Ｎｏ．単位または在庫明細単位に受注Ｎｏ．を保持し、配送Ｎｏ．単位または在庫明細単位に受注Ｎｏ．を保持しているため、進捗状況を照会することで、作業の作業内容から算出される料金情報を用いて、請求書データを受注番号単位で作成できる。
【００４１】
ここで、請求書自動作成装置１００は、受注データ（受注情報）に料金情報（単価情報）を保持させ、各作業入力画面で受注番号（受注Ｎｏ．）を指定することにより、料金を受注番号単位で計上することができる。さらに、図４に示す進捗状況照会画面には、請求書の作成を指示するチェック欄が設けられ、受注番号単位の入力、書類作成状況、及び請求金額欄には未請求金額が表示される（請求済金額については行を分けて表示させても良い）。このように、各関係各署へ口頭で確認することなく、請求書作成端末には、受注番号単位で集計された作業の進捗状況データと、受注番号単位の作業の料金計上データとが入力されることから、書類作成状況を確認しながら請求書を自動作成することができる。これにより、本実施形態の請求書自動作成装置１００は、手作業による請求書作成が常態化していた港湾業界において、請求書作成における作業効率を向上させると共に、請求精度を向上させることができる。
【００４２】
また、図４に示すように、進捗状況の確認と請求書の作成方法（進捗状況の管理方法）としては、各入力画面にて、受注番号（受注Ｎｏ．）をヘッダまたは明細単位に登録することで、受注番号ごとの入力状況を確認することができる。また、図４に示すように、進捗状況の管理方法としては、各帳票出力において、受注番号単位の印刷情報を更新することで、受注番号ごとの書類作成状況を確認することができる。また、図４に示すように、進捗状況の管理方法として、受注入力は、輸出：Ｓ／Ｉ入力、輸入：Ｉ／Ｉ入力、国内：受付管理入力として、各作業入力（入庫／出庫／庫内作業／通関／配送）時にその受注番号をセットすることができる。また、図４に示すように、進捗状況の管理方法としては、（受注ごとに指定した）作業形態ごとに、必要作業を確認し、その作業に対して、入力・出力が行われているかどうかを確認することができる。
【００４３】
また、図４に示すように、受注入力と各作業入力画面の料金情報としては、受注入力において、どの作業入力画面で計上を行うかを指定することができる。また、図４に示すように、受注入力と各作業入力画面の料金情報として、受注入力は、単独で計上を行うことも可能である。また、図４に示すように、受注入力と各作業入力画面の料金情報として、各作業入力での料金情報は、在庫から自動的に算出することが可能である。また、図４に示すように、受注入力と各作業入力画面の料金情報として、各作業入力の料金情報は、直接入力することが可能である。また、図４に示すように、受注入力と各作業入力画面の料金情報として、各料金情報は、請求もしくは支払いの対象になった時点でロック制御される。例えば、図４の料金情報イメージにおいて、現時点では請求先、計上日、請求日、請求数量、請求単価、あるいは請求金額の欄の入力データを変更できるが、請求や支払いの対象になった時点で入力内容を固定（ロック）し、入力欄を灰色に変えて入力できないように制御されている。また、図４に示すように、受注入力と各作業入力画面の料金情報として、保管料以外の料金に関しては、各入力画面の値を集計し、保管料は、３期制または日数計算での算出が可能である。
【００４４】
また、図５では、受注番号ごとに作業の進捗状況を確認しながら帳票を自動作成すると共に、進捗状況に応じて画面の色を変える処理の一例を示している。図５に示すように、本実施形態においては、受注ごとの、進捗状況（入力状況）を表示する為に、各入力／帳票機能において、進捗状況ファイル１０６ａをリアルタイムで更新してもよい。ここで、進捗状況ファイル１０６ａは、各入力エリア、帳票機能エリア、および、回数エリアを保持してもよい。また、進捗状況ファイル１０６ａは、受注入力が行なわれた時点で、新規に作成されてもよい。また、本実施形態においては、各入力単位で、受注Ｎｏ．を使用することで、登録時に＋１回カウントし、削除時に−１回カウントしてもよい。また、本実施形態においては、各帳票出力単位で、データ内の受注Ｎｏ．を使用することで、新規発行時に＋１回カウントしてもよい。また、本実施形態においては、作業形態ごとに、必要な入力と帳票とを指定することで、進捗状況を表示する際に、各エリアの色を、必須の色として表示してもよい。また、本実施形態において、作業形態は、受注入力時に、必ず１つ指定してもよい。
【００４５】
さらに、図６では、進捗状況のファイルと各入力の料金情報に基づいて、請求書の作成処理を行う一例を示している。図６には、進捗状況のファイルと、各入力の料金情報と、に基づいて、請求書を作成する内容が表示されており、抽出（検索）画面では、当月分の請求書未作成分を抽出することが可能であり、（ユーザが）進捗状況（入力状況）を確認し、作業形態ごとの必要処理が終了しているかを判断して、請求書を作成することが可能であり、更に、未請求額または当月の請求額を確認することも可能である。
【００４６】
また、図６上図に示すように、検索条件として、貨物区分、処理対象、請求作成処理、および、請求確定処理を指定することで、図６下図に示すように、結果を表示することができる。ここで、指定する処理対象としては、請求書データを作成するか、請求書データを確定するかを選択することができる。また、請求作成処理は、処理対象が請求作成の時のみ指定可であり、請求確定処理は、処理対象が請求確定の時のみ指定可である。
【００４７】
また、図６においては、請求作成処理の未完了が指定された場合、請求書未作成のデータのみ表示され、請求作成処理の完了が指定された場合、請求書作成済のデータのみ表示され、請求作成処理の全てが指定された場合、請求書未作成および作成済の両方のデータが表示されてもよい。また、図６においては、請求確定処理の未完了が指定された場合、請求書作成済で、請求確定が未処理のデータのみ表示され、請求確定処理の完了が指定された場合、請求書作成済で、請求確定が処理済のデータのみ表示され、請求確定処理の全てが指定された場合、請求書作成済のデータが全て表示されてもよい。なお、図６において、処理対象として請求作成が指定され、請求作成処理の未完了が指定され、且つ、請求月として当月が選択された場合、請求書データが作成されていないことになる。
【００４８】
また、図６下図に示すように、処理対象として請求作成が指定された場合、請求書未作成のデータは、請求作成がチェックされていない状態で表示され、請求Ｎｏ．が表示されない。また、図６下図に示すように、処理対象として請求作成が指定された場合、請求書作成済のデータは、請求作成がチェックされた状態で表示され、請求Ｎｏ．が表示される。なお、本実施形態において、処理対象として請求確定が指定された場合、請求未確定のデータは、請求確定がチェックされていない状態で表示され、請求Ｎｏ．が表示される。また、本実施形態において、処理対象として請求確定が指定された場合、請求確定済のデータは、請求確定がチェックされた状態で表示され、請求Ｎｏ．が表示される。
【００４９】
また、図７では、各作業入力の料金情報に基づく請求金額の算出処理を行う場合の一例を示している。図７に示すように、各作業入力の料金情報は、成約で取決めた内容を元に表示し、各入力での作業内容の入力結果を元に、金額を算出してもよい。また、図７に示すように、見積として、作業形態ごとの料金を取決め、見積の中で確定したものを、成約として取込んでもよい（すなわち、単価マスタとしてもよい）。また、図７に示すように、受注入力を行う際に、成約（成約Ｎｏ．）を指定することで、受注画面に単価を表示してもよい。また、図７に示すように、受注入力を行う際に、計上方法（入庫、作業（庫内作業）、通関、出庫、または、配送等）を指定することで、表示する入力画面を指定してもよい。また、図７に示すように、請求金額は、各作業入力画面で入力された数量、重量または容積等と、受注画面に表示した単価と、を掛けた金額であってもよい。
【００５０】
このように、本実施形態においては、作業の受注データを受注番号単位で入力し、作業形態に応じた作業の進捗状況を受注番号単位で入力し、入力データを受注番号単位で記憶し、記憶された受注番号単位の入力データに基づいて作業の進捗状況と在庫状況を更新すると共に、作業形態に応じた料金情報に基づいて作業毎の料金計上を行い、処理された作業の進捗状況と在庫状況と計上金額とを表示し、作業が完了し計上金額の確定した作業の請求書を受注番号単位で自動作成してもよい。
【００５１】
［３．他の実施形態］
本発明は、上述した実施形態以外にも、特許請求の範囲に記載した技術的思想の範囲内において種々の異なる実施形態にて実施されてよいものである。
【００５２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５３】
また、本明細書中や図面中で示した処理手順、制御手順、具体的名称、各処理の登録データや検索条件等のパラメータを含む情報、画面例、データベース構成については、特記する場合を除いて任意に変更することができる。
【００５４】
また、請求書自動作成装置１００に関して、図示の各構成要素は機能概念的なものであり、必ずしも物理的に図示の如く構成されていることを要しない。
【００５５】
例えば、請求書自動作成装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて仕訳入力補助装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５６】
また、このコンピュータプログラムは、請求書自動作成装置１００に対して任意のネットワークを介して接続されたアプリケーションプログラムサーバに記憶されていてもよく、必要に応じてその全部または一部をダウンロードすることも可能である。
【００５７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００５８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５９】
記憶部に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００６０】
また、請求書自動作成装置１００は、既知のパーソナルコンピュータまたはワークステーション等の情報処理装置として構成してもよく、また、任意の周辺装置が接続された当該情報処理装置として構成してもよい。また、請求書自動作成装置１００は、当該装置に本実施形態で説明した処理を実現させるソフトウェア（プログラムまたはデータ等を含む）を実装することにより実現してもよい。
【００６１】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６２】
本発明は、特に、港湾業界などで作業の進捗状況を把握しながら請求書の自動作成を行う場合などに有用である。
【符号の説明】
【００６３】
１００  請求書自動作成装置
１０２  制御部
１０２ａ  受注データ取得部
１０２ｂ  進捗状況更新部
１０２ｃ  進捗状況表示部
１０２ｄ  請求書作成部
１０４  通信インターフェース部
１０６  記憶部
１０６ａ  進捗状況ファイル
１０８  入出力インターフェース部
１１２  入力装置
１１４  出力装置
２００  サーバ
３００  ネットワーク
【図１】
2020194603.tif 000003
【図２】
2020194603.tif 000004
【図３】
2020194603.tif 000005
【図４】
2020194603.tif 000006
【図５】
2020194603.tif 000007
【図６】
2020194603.tif 000008
【図７】
2020194603.tif 000009
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
オペレータが輸出入に係わる作業形態で求められる作業入力および書類作成の各進捗状況を確認しながら請求書を自動作成することができる、制御部と表示部とを備えた請求書自動作成装置であって、
受注番号単位で料金を保持する受注データと、
受注番号単位の各作業の料金計上データと、
受注番号単位で、作業入力、書類作成および請求書作成の各進捗状況を管理する進捗状況データと、
にアクセス可能であり、
前記制御部は、
前記進捗状況データに格納されている各進捗状況と、前記受注データおよび各前記料金計上データに基づく請求金額と、が受注番号単位で表示されており、且つ、請求確定を指示させるための指示領域を受注番号単位に有する進捗状況照会画面を前記表示部に表示する進捗状況表示手段と、
前記進捗状況照会画面において請求確定が指示されたデータを対象に、請求書データを受注番号単位で作成する請求書作成手段と、
を備えること、
を特徴とする請求書自動作成装置。
【請求項２】
作業形態ごとに、必要な作業入力および書類作成の指定を保持する作業形態マスタにアクセス可能であり、
前記進捗状況表示手段は、作業入力および書類作成の各進捗状況が前記作業形態マスタの指定に応じた表示態様で表示されている前記進捗状況照会画面を表示すること、
を特徴とする請求項１に記載の請求書自動作成装置。
【請求項３】
オペレータが輸出入に係わる作業形態で求められる作業入力および書類作成の各進捗状況を確認しながら請求書を自動作成することができる、制御部と表示部とを備えた情報処理装置において実行される請求書自動作成方法であって、
前記情報処理装置は、
受注番号単位で料金を保持する受注データと、
受注番号単位の各作業の料金計上データと、
受注番号単位で、作業入力、書類作成および請求書作成の各進捗状況を管理する進捗状況データと、
にアクセス可能であり、
前記制御部において実行される、
前記進捗状況データに格納されている各進捗状況と、前記受注データおよび各前記料金計上データに基づく請求金額と、が受注番号単位で表示されており、且つ、請求確定を指示させるための指示領域を受注番号単位に有する進捗状況照会画面を前記表示部に表示する進捗状況表示ステップと、
前記進捗状況照会画面において請求確定が指示されたデータを対象に、請求書データを受注番号単位で作成する請求書作成ステップと、
を含むこと、
を特徴とする請求書自動作成方法。
【請求項４】
オペレータが輸出入に係わる作業形態で求められる作業入力および書類作成の各進捗状況を確認しながら請求書を自動作成することができる、制御部と表示部とを備えた情報処理装置において実行させるための請求書自動作成プログラムであって、
前記情報処理装置は、
受注番号単位で料金を保持する受注データと、
受注番号単位の各作業の料金計上データと、
受注番号単位で、作業入力、書類作成および請求書作成の各進捗状況を管理する進捗状況データと、
にアクセス可能であり、
前記制御部において実行させるための、
前記進捗状況データに格納されている各進捗状況と、前記受注データおよび各前記料金計上データに基づく請求金額と、が受注番号単位で表示されており、且つ、請求確定を指示させるための指示領域を受注番号単位に有する進捗状況照会画面を前記表示部に表示する進捗状況表示ステップと、
前記進捗状況照会画面において請求確定が指示されたデータを対象に、請求書データを受注番号単位で作成する請求書作成ステップと、
を含むこと、
を特徴とする請求書自動作成プログラム。